(57)【特許請求の範囲】
【請求項１】
列状に配された複数の受光素子を片面に搭載した基板と、
上記基板の上記片面と反対側の面に重ねて設けられる放熱板と、
上記複数の受光素子を囲むように上記基板上に配され、かつ光源から発せられた光を画像読み取り対象領域に導くとともにこの画像読み取り対象領域から反射してきた光を上記複数の受光素子に導く光路を内部に有するケースと、
上記基板の上記片面のうち、上記ケースからはみ出した部分に列状に搭載された複数の印字用素子と、
上記ケースを上記基板上に保持させるように上記基板または上記放熱板と上記ケースとを互いに掛止させる掛止手段と、
を具備していることを特徴とする、画像読み書き一体ヘッド。
【請求項２】
上記光源は、上記基板の上記片面上に搭載されている、請求項１に記載の画像読み書き一体ヘッド。
【請求項３】
上記掛止手段は、上記ケースの長手方向両端部を上記基板または上記放熱板に掛止させるように構成されている、請求項１または２に記載の画像読み書き一体ヘッド。
【請求項４】
上記掛止手段は、上記ケースの短手方向のうち、上記複数の印字用素子寄りの部分を、上記基板または上記放熱板に掛止させるように構成されている、請求項３に記載の画像読み書き一体ヘッド。
【請求項５】
上記ケースの上記基板と対向する底面は、上記ケースを上記基板から分離した状態において、その長手方向中央部がその長手方向両端部よりも膨出した凸状面とされている、請求項３または４に記載の画像読み書き一体ヘッド。
【請求項６】
上記印字用素子は、発熱素子である、請求項１ないし５のいずれかに記載の画像読み書き一体ヘッド。
【請求項７】
上記掛止手段は、上記ケースに係合するように上記放熱板に設けられた係合用突起である、請求項６に記載の画像読み書き一体ヘッド。
【請求項８】
上記ケース、基板、および放熱板は、互いに近似した線膨張係数の材質とされている、請求項６または７に記載の画像読み書き一体ヘッド。
【請求項９】
請求項１ないし８のいずれかに記載の画像読み書き一体ヘッドを具備していることを特徴とする、画像処理装置。
【発明の詳細な説明】
【０００１】
【発明の属する技術分野】
本願発明は、画像読み取り機能と画像形成機能とを併せもつ画像読み書き一体ヘッド、およびこれを備えた画像処理装置に関する。
【０００２】
【従来の技術】
ファクシミリ装置などの画像処理装置においては、画像読み取り機能と画像形成機能とを併せもつ必要がある。また、画像処理装置の小型化の要請に応える必要もある。そこで、従来では、図６に示すような画像読み書き一体ヘッドＨがある。この従来の画像読み書き一体ヘッドＨは、透明カバー１９ｅを上面部に装着したケース１ｅと、このケース１ｅの底部に取付けられた基板４ｅとを具備している。上記基板４ｅの表裏両面には、複数の受光素子２ｅと印字用の複数の発熱素子８ｅとがこの基板４ｅの長手方向に延びた列状に実装されている。上記ケース１ｅの内部には、光源３ｅと集光レンズ５ｅとが設けられており、上記光源３ｅから発せられた光が上記透明カバー１９ｅの表面の画像読み取り対象領域Ｓｅに照射されるとともに、この画像読み取り対象領域Ｓｅから反射されてきた光を上記集光レンズ５ｅを介して上記複数の受光素子２ｅに導くことができるように構成されている。
【０００３】
上記画像読み書き一体ヘッドＨでは、画像読み取り対象領域Ｓｅに配置される原稿Ｄの画像を、上記光源３ｅや複数の受光素子２ｅを利用して読み取ることができる。その一方、上記複数の発熱素子８ｅを利用してたとえば感熱タイプの記録紙Ｋに所望の画像を印字出力することができる。
【０００４】
【発明が解決しようとする課題】
しかしながら、上記従来の画像読み書き一体ヘッドＨでは、次のような不具合があった。
【０００５】
すなわち、上記従来の画像読み書き一体ヘッドＨは、複数の受光素子２ｅが基板４ｅの表面４０に搭載されているのに対し、複数の発熱素子８ｅは上記基板４ｅの裏面４１に搭載されている。このため、上記基板４ｅへの部品実装作業に際して、まず基板４ｅの表面４０に複数の受光素子２ｅを実装した後に、上記基板４ｅの裏面４１に複数の発熱素子８ｅを実装するには、上記基板４ｅの表裏を反転させる必要がある。基板４ｅを反転させた後には、この基板４ｅを再度所望の位置へ正確に位置決めし直す必要もある。また、上記基板４ｅには、上記複数の受光素子２ｅや複数の発熱素子８ｅに関連する２種類の配線パターンを予め形成しておく必要があるが、これら２種類の配線パターンを基板４ｅの表裏両面にそれぞれ別個に形成する作業も煩雑である。したがって、従来の画像読み書き一体ヘッドＨでは、その生産性が悪いものとなっていた。
【０００６】
さらに、従来では、上記画像読み書き一体ヘッドＨを用いて画像処理装置を実際に製作する場合には、原稿Ｄを送るためのプラテンローラＰ1 については画像読み書き一体ヘッドＨの上方に配置する必要があるのに対し、記録紙Ｋを送るためのプラテンローラＰ2 については画像読み書き一体ヘッドＨの下方に配置する必要がある。このため、２つのプラテンローラＰ1 ，Ｐ2 と画像読み書き一体ヘッドＨとを組み合わせた機構全体がその高さ方向に大きく嵩張ったものとなり、その小型化の面においても改善すべき余地があった。
【０００７】
本願発明は、このような事情のもとで考え出されたものであって、画像読み書き一体ヘッドの生産性を高め、しかもその画像読み書き一体ヘッドを画像処理装置に組み込んで実際に使用する場合にはその小型化も図ることができるようにすることをその課題としている。
【０００８】
【発明の開示】
上記の課題を解決するため、本願発明では、次の技術的手段を講じている。
【０００９】
すなわち、本願発明の第１の側面によれば、画像読み書き一体ヘッドが提供される。この画像読み書き一体ヘッドは、列状に配された複数の受光素子を片面に搭載した基板と、上記基板の上記片面と反対側の面に重ねて設けられる放熱板と、上記複数の受光素子を囲むように上記基板上に配され、かつ光源から発せられた光を画像読み取り対象領域に導くとともにこの画像読み取り対象領域から反射してきた光を上記複数の受光素子に導く光路を内部に有するケースと、上記基板の上記片面のうち、上記ケースからはみ出した部分に列状に搭載された複数の印字用素子と、上記ケースを上記基板上に保持させるように上記基板または上記放熱板と上記ケースとを互いに掛止させる掛止手段と、を具備していることに特徴づけられる。
【００１０】
本願発明においては、次のような効果が得られる。
【００１１】
第１に、本願発明では、複数の受光素子および印字用素子が基板の同一面に搭載されているために、その製造に際しては、従来とは異なり、上記基板の表裏を反転させることなく、上記基板上に複数の受光素子や印字用素子を搭載することができる。また、それら受光素子や印字用素子に関連する配線パターンの形成も基板の同一面に対して形成すればよいため、それらの配線パターンを同時に形成することも可能となる。したがって、本願発明では、画像読み書き一体ヘッドの生産性を従来よりも高めることができる。
【００１２】
第２に、本願発明では、基板の表裏両面のうち、基板の印字用素子が搭載されている片面側と同一面側に画像読み取り対象領域を簡単に設けることが可能となり、画像読み取り対象領域に原稿を移送するプラテンローラと印字用素子の位置に記録紙を移送するプラテンローラとを、基板の同一面側に配置することができる。このため、本願発明では、画像読み書き一体ヘッドを挟むようにしてその両側に２つのプラテンローラを配置する必要があった従来のものと比較すると、それら全体のサイズが大きく嵩張らないようにでき、小型化が図れる。
【００１３】
第３に、本願発明では、基板へのケースの組付けは、掛止手段を利用して簡単に行えることとなる。したがって、画像読み書き一体ヘッドの生産性をより高めることができる。
【００１４】
本願発明の好ましい実施の形態では、上記光源は、上記基板の上記片面上に搭載されている。
【００１５】
このような構成によれば、複数の受光素子や印字用素子に加え、光源についても基板の同一面に搭載した構成にできるために、画像読み書き一体ヘッドの製造が一層容易となり、その生産性をより高めることができる。
【００１６】
本願発明の他の好ましい実施の形態では、上記掛止手段は、上記ケースの長手方向両端部を上記基板または上記放熱板に掛止させるように構成されている。
【００１７】
このような構成によれば、ケースの長手方向両端部を基板に対して重点的に固定させることが可能となり、少ない数の掛止手段によってケースの安定した組付けが図れる。
【００１８】
本願発明の他の好ましい実施の形態では、上記掛止手段は、上記ケースの短手方向のうち、上記複数の印字用素子寄りの部分を、上記基板または上記放熱板に掛止させるように構成されている。
【００１９】
このような構成によれば、ケースの短手方向（幅方向）の各部のうち、印字用素子寄りの部分を基板に対して重点的に接触させることが可能となり、ケースの印字用素子寄りの部分においてこのケースと基板との間に隙間を生じないようにすることができる。したがって、複数の印字用素子に接触させるようにして記録紙を移送する場合に、その記録紙が上記ケースと基板との間に進入して引っ掛かりを生じてしまうといった不具合を発生し難くすることができる。
【００２０】
本願発明の他の好ましい実施の形態では、上記ケースの上記基板と対向する底面は、上記ケースを上記基板から分離した状態において、その長手方向中央部がその長手方向両端部よりも膨出した凸状面とされている。
【００２１】
このような構成によれば、ケースの底面の全長域にわたって基板との間に隙間が生じないようにできる。すなわち、掛止手段を利用してケースの長手方向両端部を基板に接触させると、ケースの底面の長手方向中央部が基板から浮き上がり易くなる。ところが、上記構成によれば、そのようなケースの長手方向中央部の浮き上がりを予め見越すようにしてその部分を長手方向両端部よりも膨出した凸状面としているために、実際に上記ケースを基板上に組付けた場合には、上記ケースの底面の長手方向中央部が基板から浮き上がないようにできるのである。このように、ケースの底面の全長にわたって基板との間に隙間が生じないようにすれば、このケースと基板との間にたとえば記録紙が噛み込むようなことを防止できるのに加え、ケース外部の光がケース内の光路に不当に進入して画像読み取り処理に支障をきたすといった事態も生じないようにできる。
【００２２】
本願発明の他の好ましい実施の形態では、上記印字用素子は、発熱素子である。
【００２３】
このような構成によれば、基板上に搭載されている発熱素子やその他の電子部品から発せられる熱を放熱板を介して外部に逃がすことができる。したがって、発熱素子が過度に温度上昇することを防止することができ、プリンタ特性を高めることができる。
【００２４】
本願発明の他の好ましい実施の形態では、上記掛止手段は、上記ケースに係合するように上記放熱板に設けられた係合用突起である。
【００２５】
このような構成によれば、放熱板に設けられている係合用突起をケースに係合させることによって、ケース、基板、放熱板の三者の組付けが可能となる。すなわち、ケース、基板、放熱板の三者は互いに重なった状態にあるため、これら三者のうちの外層部分に位置するケースと放熱板とを係合用突起を介して互いに連結した状態とすれば、それらの間に挟まれている基板の位置を安定させることが可能となり、これら三者を組付けることができるのである。さらに、放熱板は放熱機能を発揮すればよく、とくにその形状やサイズなどは特定されるものではないため、この放熱板に係合用突起を設けるようにすれば、他のケースや基板にそのような係合用突起を設ける場合と比較すると、その製造をかなり容易なものにすることもできる。
【００２６】
本願発明の他の好ましい実施の形態では、上記ケース、基板、および放熱板は、互いに近似した線膨張係数の材質とされている。
【００２７】
このような構成によれば、ケース、基板、および放熱板に温度変化を生じた場合に、温度変化に起因するこれらの部材の伸縮量の差を小さくでき、その伸縮量の差に起因してこれら互いに重なり合っている部材が大きく撓んでしまうようなことを回避できる。したがって、ケース、基板、および放熱板の組付け状態を適切な状態に維持できる。
【００２８】
本願発明の第２の側面によれば、画像処理装置が提供される。この画像処理装置は、本願発明の第１の側面によって提供される画像読み書き一体ヘッドを具備していることに特徴づけられる。
【００２９】
本願発明の第２の側面によれば、本願発明の第１の側面によって得られるのと同様な効果が期待でき、生産性の向上、ならびに全体の小型化が図れる。
【００３０】
本願発明のその他の特徴および利点は、以下の発明の実施の形態の説明からより明らかになるであろう。
【００３１】
【発明の実施の形態】
以下、本願発明の好ましい実施の形態について、図面を参照しつつ具体的に説明する。
【００３２】
図１は、本願発明に係る画像読み書き一体ヘッドの一例を示す斜視図である。図２は、図１のII−II断面図である。図３は、図１に示す画像読み書き一体ヘッドの分解斜視図である。図４は、図１に示す画像読み書き一体ヘッドの構成部品であるケースの正面図である。
【００３３】
図２および図３によく表れているように、本実施形態の画像読み書き一体ヘッドＡは、ケース１、透明カバー１９、レンズアレイ５、基板４、放熱板７、およびその他の後述する各部品類を具備して構成されている。
【００３４】
上記基板４は、たとえばセラミック製であり、平面視長矩形状のプレート状である。この基板４の表面４ａ（片面）には、複数の光源３、複数の受光素子２、複数の駆動ＩＣ８０、および複数の発熱素子８が搭載されている。
【００３５】
上記複数の光源３は、たとえばＬＥＤチップを用いて構成されており、上記基板４の長手方向に適当な間隔を隔てて列状に実装されている。上記複数の受光素子２は、光電変換機能を備えた素子であり、上記複数の光源３と略平行となるように上記基板４の長手方向に列状に実装されている。上記複数の発熱素子８は、本願発明でいう印字用素子の一例に相当するものである。上記各発熱素子８は、たとえば酸化ルテニウムなどを導体成分とする厚膜抵抗ペーストを印刷・焼成することによって上記基板４の長手方向に一連に延びる線状の発熱抵抗体を形成するとともに、この発熱抵抗体をその長手方向に沿って一定間隔で電気的に分断する配線パターンを形成することによって構成されている。上記複数の駆動ＩＣ８０は、上記複数の発熱素子８の発熱駆動を制御するためのものであり、やはり適当な間隔を隔てて上記基板４の長手方向に列状に実装されている。上記複数の発熱素子８は、上記基板４の長手方向に延びる一側縁部４ｃまたはその近傍に配されている。また、上記基板４の表面４ａには、上記複数の光源３、複数の受光素子２、複数の駆動ＩＣ８０、および複数の発熱素子８のそれぞれに関連する配線パターン（図示略）が形成されている。上記基板４の適所には上記配線パターンのそれぞれと導通した１または複数のコネクタ（図示略）が設けられており、このコネクタに配線接続を行うことによって外部機器から上記各部への電力供給や各種の信号の入出力が行えるようになっている。
【００３６】
上記ケース１は、合成樹脂製であり、その長手方向の全長寸法は上記基板４と略同一である。図２によく表れているように、このケース１は、上記複数の光源３、複数の受光素子２、および複数の駆動ＩＣ８０のそれぞれを囲み込むように上記基板４の表面４ａ上に取付けられている。上記ケース１は、その厚み方向に貫通した孔部１０と、その底部に形成された凹部１１とを有しており、上記孔部１０内の底部に上記複数の光源３が配置されている。上記凹部１１内には、上記複数の受光素子２と駆動ＩＣ８０とが配置されている。上記基板４の一側縁部４ｃおよびその近傍部分は、上記ケース１の一側方にはみ出しており、そのはみ出した部分に上記複数の発熱素子８が位置している。上記ケース１の短手方向の両側面のうち、上記複数の発熱素子８に接近する側の側面１ａは、このケース１の上方に進むにしたがって上記基板４の他側縁部４ｄに接近するように傾斜している。
【００３７】
上記透明カバー１９は、読み取り対象となる原稿Ｄをガイドするためのものであり、たとえば透明なガラス製または合成樹脂製のプレートである。この透明カバー１９は、上記ケース１の上面部に設けられている凹部１３に嵌合装着されている。ただし、上記ケース１の上面部は傾斜しており、これに伴って上記透明カバー１９も傾斜している。より具体的には、上記透明カバー１９は、基板４の他側縁部４ｄに近づくほどその高さが低くなるように傾斜している。
【００３８】
上記レンズアレイ５は、主走査方向に延びるブロック状のレンズホルダ５０に、複数のロッドレンズ５１を列状に保持させたものである。レンズアレイ５の構成部品としてロッドレンズ５１を用いれば、原稿Ｄの画像を受光素子２上に正立等倍に結像させることが可能であるが、むろんこれら以外のレンズを用いてもかまわない。上記レンズアレイ５は、上記透明カバー１９の下方においてこの透明カバー１９に対向して設けられた凹溝１２に嵌入装着されており、主走査方向に延びている。上記透明カバー１９の表面のうち、上記レンズアレイ５と対向する部分が、画像読み取り対象領域Ｓである。
【００３９】
上記ケース１の内部には、上記光源３から発せられた光を導くための光路１４が設けられている。この光路１４は、上記孔部１０、レンズアレイ５、上記凹部１１の一部を含んで構成されており、次のような第１の光路１４ａと第２の光路１４ｂとに大別される。すなわち、第１の光路１４ａは、孔部１０によって形成されており、複数の光源３から発せられた光を上記画像読み取り対象領域Ｓに導く光路である。これに対し、第２の光路１４ｂは、上記第１の光路１４ａを進行して上記画像読み取り対象領域Ｓに位置する原稿表面によって反射された光をレンズアレイ５を介して上記複数の受光素子２上に導く光路である。上記複数の受光素子２は、上記第２の光路１４ｂを通過してきた光を受光すると、その受光量に対応した出力レベルの画像信号を出力する。
【００４０】
上記ケース１は、白色の樹脂製であり、このケース１の各所の表面は光の反射率が高い面とされている。このため、上記孔部１０の内壁面も光反射率の高い面とされている。このような構成によれば、複数の光源３から発せられた光を上記孔部１０の内壁面において高い反射率で反射させながら画像読み取り対象領域Ｓに導くことができ、画像読み取り対象領域Ｓに対する光の照射効率を高めることができる。
【００４１】
上記ケース１の下部には、上記複数の受光素子２を囲み込む補助部材６が設けられている。この補助部材６は、たとえば黒色顔料を含むＡＢＳ樹脂製であり、その各所の表面は光の吸収率が高い黒色とされている。上記補助部材６を設けた構成によれば、レンズアレイ５を通過して複数の受光素子２に向けて進行した光が上記複数の受光素子２の周囲において散乱反射する虞れを無くすことができ、読み取り画像の質を高めることが可能となる。上記補助部材６は、その上部に設けられている突起部６０，６０を上記ケース１に設けられている凹部１５，１５に嵌入させることによって、上記ケース１に取付けられている。
【００４２】
上記放熱板７は、上記基板４と略同様な形状およびサイズのプレート状に形成されたものであり、上記基板４の裏面４ｂに両面接着テープや接着剤などを介して接着されている。この放熱板７は、熱伝導率の高い金属製とされている。ただし、この画像読み書き一体ヘッドＡでは、この放熱板７の線膨張係数を、上記基板４やケース１に近づけるために、その材質は、たとえばステンレスであり、その線膨張係数は、１０×１０-6［1/℃］である。これに対し、上記セラミック製の基板４の線膨張係数は、７．７×１０-6［1/℃］である。上記ケース１は、たとえば液晶ポリマー製であり、その線膨張係数は、１０×１０-6［1/℃］である。このように、上記三者の線膨張係数は互いに近似した値とされている。
【００４３】
図３によく表れているように、上記放熱板７の長手方向両端部には、係合用突起７０，７０が設けられている。これらの係合用突起７０，７０は、上記放熱板７の上方に向けて起立しているとともに、その先端部が略Ｌ字状に屈曲した形状である。これらの係合用突起７０，７０は、上記放熱板７に一体的に設けてもよいが、これに代えて、たとえば上記放熱板７とは別体に形成された部材を上記放熱板７に取付けることによって構成してもかまわない。
【００４４】
上記ケース１の長手方向両端部には、凹部１８，１８が設けられている。これらの凹部１８，１８は、上記ケース１の短手方向のうち、発熱素子８寄りに偏った位置に設けられている。図１によく表れているように、上記ケース１は、上記基板４の表面４ａ上に配置された上で、上記係合用突起７０，７０の先端部が上記凹部１８，１８に係入することによって、上記基板４上における位置決め固定が図られている。図２によく表れているように、上記ケース１の底部には、基板４の側縁部４ｄに係合する段部１７が設けられており、これによって基板４に対するケース１の短手方向の位置決めも図られている。図４によく表れているように、上記ケース１の上記基板４に対向接触する底面１６は、上記ケース１を上記基板４から分離させた状態において、適当な曲率半径Ｒの湾曲した凸状面として形成されており、その長手方向両端部から長手方向中央部に進むにしたがって下方へ膨出している。
【００４５】
図５は、上記画像読み書き一体ヘッドＡを具備して構成された画像処理装置Ｂの概略構成の一例を示す説明図である。
【００４６】
この画像処理装置Ｂは、たとえば合成樹脂製の筐体９内に上記画像読み書き一体ヘッドＡを組み込んだものであり、上記透明カバー１９と対向する位置には、原稿Ｄを紙送りするための駆動回転自在なプラテンローラＰ1 が設けられている。また、上記複数の発熱素子８と対向する位置には、記録紙Ｋを紙送りするための駆動回転自在なプラテンローラＰ2 が設けられている。記録紙Ｋは、たとえば巻取ロールＲから繰り出される長尺状の感熱紙である。むろん、本発明はこれに限定されず、たとえば単票状の記録紙を用いることも可能である。
【００４７】
次に、上記画像読み書き一体ヘッドＡ、および上記画像処理装置Ｂの作用について説明する。
【００４８】
まず、上記画像処理装置Ｂでは、画像読み書き一体ヘッドＡが画像読み取り機能と画像形成機能とを併せもつために、原稿Ｄの画像読み取りと記録紙Ｋへの画像の印字出力とを個別に、または同時に行うことができる。上記２つのプラテンローラＰ1 ，Ｐ2 は、いずれも上記画像読み書き一体ヘッドＡの基板４よりも上方に配置すればよい。したがって、これら２つのプラテンローラＰ1 ，Ｐ2 と画像読み書き一体ヘッドＡとの三者が画像処理装置Ｂの高さ方向に大きく嵩張らないようにでき、画像処理装置Ｂの薄型化が図れる。上記画像読み書き一体ヘッドＡでは、プラテンローラＰ2 に対向するケース１の側面１ａを傾斜させているために、上記ケース１からはみ出した基板４の一側縁部４ａの上方にプラテンローラＰ2 を配置するための比較的大きな空間スペースを確保できる。したがって、上記ケース１から基板４の一側縁部４ａをさほど大きくはみ出させることなく、プラテンローラＰ2 の適切な配置を行うことも可能となり、全体の小型化を図る上で、一層好ましいものとなる。さらに、上記透明カバー１９は傾斜しているために、この透明カバー１９に対向するプラテンローラＰ1 を他方のプラテンローラＰ2 から適度に離れた位置へ配置可能となる。したがって、２つのプラテンローラＰ1 ，Ｐ2 の径を大きくした場合に、それらが不当に干渉し合うようなことも回避できる。
【００４９】
上記プラテンローラＰ1 ，Ｐ2 は、原稿Ｄや記録紙Ｋを透明カバー１９の表面または発熱素子８の表面部分に適度な圧力で押しつけるように筐体９内に組み込む必要がある。ところが、これらのプラテンローラＰ1 ，Ｐ2 は、いずれも画像読み書き一体ヘッドＡの上方に配置させればよいために、その組み込み作業は一方向から行うことができ、その組み込み作業性も良好なものにできる。また、上記プラテンローラＰ1 ，Ｐ2 を透明カバー１９や発熱素子８に対して押しつける方向も同一方向となるために、そのための構造も非常に簡素なものにできる。
【００５０】
一方、上記画像読み書き一体ヘッドＡは、図２に示したように、複数の光源３、複数の受光素子２、複数の駆動ＩＣ８０、および複数の発熱素子８のそれぞれを基板４の表面４ａに実装しており、またそれらに関連する配線パターンも上記表面４ａに形成している。したがって、上記各部品の実装作業や配線パターンの作製作業に際しては、上記基板４を表裏反転させるような必要はなく、その生産性を高めることができる。また、ケース１を基板４に組付ける作業は、ケース１を基板４上に載置してから、放熱板７の係合用突起７０，７０をケース１の凹部１８，１８に係入させることによって、上記ケース１と放熱板７とを互いに掛止させればよく、やはり簡単に行うことができる。上記係合用突起７０，７０にはケース１と基板４とを位置合わせするための役割をもたせることも可能であり、ケース１の各部と受光素子２や光源３などとの各種の電子部品との位置関係も適正な状態に設定することが可能である。さらに、上記係合用突起７０，７０を利用したケース１の組付け構造では、互いに掛止されたケース１と放熱板７との間に基板４が挟まれた恰好となる。したがって、放熱板７と基板４との位置関係を安定させることもできる。
【００５１】
上記係合用突起７０，７０は、ケース１の長手方向両端部に掛止されているため、上記ケース１の底面１６の長手方向中央部については、基板４の表面４ａに対して積極的に押しつけることはできない。ところが、上記ケース１の底面１６は、図４において説明したとおり、その長手方向中央部になるほど下方へ突出した凸状面とされているために、この底面１６の長手方向両端部を基板４の表面４ａに押しつけるようにすれば、その底面１６の長手方向中央部を上記基板４の表面４ａに適切に密接させることができる。また、上記係合用突起７０，７０は、ケース１の短手方向のうち複数の発熱素子８に接近する部分を基板４に対して重点的に押しつけるようになっているために、ケース１の底面１６のうち、複数の発熱素子８に最も近い部分（図２の符号Ｎ１で示す部分）が基板４の上方に浮き上がらないようできる。したがって、記録紙ＫをプラテンローラＰ2 によって上記ケース１の側面１ａに接近させる方向に紙送りする場合であっても、たとえばその記録紙Ｋの先端が上記ケース１の底面１６と基板４との間に不当に噛み込むようなことはない。また、ケース１の外部の光が上記底面１６と基板４との隙間から複数の受光素子２の搭載部分に不当に進入するようなことも回避できる。
【００５２】
上記画像読み書き一体ヘッドＡでは、その使用動作時において複数の発熱素子８や光源３などから熱が発生するが、その熱は放熱板７を介して外部に適切に発散させることができる。したがって、発熱素子８の温度を安定させることができ、記録紙Ｋに印字出力される画像の質が悪化しないようにできる。また、上記発熱素子８から発生する熱などに起因して、放熱板７、基板４、ケース１、およびこれらに組付けられている各種の部材が伸縮する場合があるが、少なくとも上記画像読み書き一体ヘッドＡのうち、サイズの大きな放熱板７、基板４、およびケース１の材質を互いに近似した線膨張係数のものにしているために、それらの伸縮時において大きく撓み変形などを生じないようにすることもできる。
【００５３】
なお、本願発明に係る画像読み書き一体ヘッドや画像処理装置の具体的な構成は、上記実施形態に限定されず、種々に設計変更自在である。
【００５４】
上記実施形態では、放熱板７に係合用突起７０，７０を設けているが、本願発明はこれに限定されない。本願発明では、たとえば放熱板７や基板４に係合可能な係合用突起をケース１に設けたり、あるいはケース１に係合可能な係合用突起を基板に設けた構成としてもよい。また、上記実施形態では、光源３を基板４の複数の受光素子２や発熱素子８が搭載されている面と同一面に搭載しているが、本願発明では、これに代えて、たとえば図６で示した従来のものと同様に、光源をケース内に設けた構成としてもかまわない。
【図面の簡単な説明】
【図１】本願発明に係る画像読み書き一体ヘッドの一例を示す斜視図である。
【図２】図１のII−II断面図である。
【図３】図１に示す画像読み書き一体ヘッドの分解斜視図である。
【図４】図１に示す画像読み書き一体ヘッドの構成部品であるケースの正面図である。
【図５】図１に示す画像読み書き一体ヘッドを具備して構成された画像処理装置の概略構成の一例を示す説明図である。
【図６】従来の画像読み書き一体ヘッドの一例を表す断面図である。
【符号の説明】
１  ケース
２  受光素子
３  光源
４  基板
４ａ  表面（基板の）
５  レンズアレイ
７  放熱板
８  発熱素子（印字用素子）
１４  光路
７０，７０  係合用突起（掛止手段）
Ａ  画像読み書き一体ヘッド
Ｂ  画像処理装置
Ｄ  原稿
Ｋ  記録紙
Ｓ  画像読み取り対象領域
Ｐ1   原稿用プラテンローラ
Ｐ2   記録紙用プラテンローラ
【図１】
0003802235.tif 000002
【図２】
0003802235.tif 000003
【図３】
0003802235.tif 000004
【図４】
0003802235.tif 000005
【図５】
0003802235.tif 000006
【図６】
0003802235.tif 000007